(57)【要約】【課題】本発明は、吐出口が塞がされた状態で、ポンプ機構が動作することにより送り出された流体が飛散することの抑制を図った流体吐出装置を提供する。【解決手段】流体吐出装置１は、流体を貯留するタンク２と、流体Ｓを吐出する吐出口５０を有する吐出部５と、タンクに貯留された流体を吐出部に送り出すポンプ機構４と、を備え、吐出口が塞がれた状態でポンプ機構が動作することにより送り出された流体を、タンクに案内する逃がし経路Ｄを有する。これによれば、吐出口が塞がされた状態でポンプ機構が動作することにより送り出された流体が飛散することの抑制を図ることができる。【選択図】図８
2018102697.tif 000002
【特許請求の範囲】
【請求項１】
流体を吐出する流体吐出装置であって、
前記流体を貯留するタンクと、
前記流体を吐出する吐出口を有する吐出部と、
前記タンクに貯留された前記流体を前記吐出部に送り出すポンプ機構と、を備え、
前記吐出口が塞がれた状態で前記ポンプ機構が動作することにより送り出された前記流体を、前記タンクに案内する逃がし経路を有することを特徴とする流体吐出装置。
【請求項２】
前記タンクの内外を連通するエア抜き経路を有することを特徴とする請求項１に記載の流体吐出装置。
【請求項３】
前記吐出部は、吐出口を有する内側筒部と、該内側筒部の外周を覆う外側筒部と、を備え、
前記逃がし経路が、前記内側筒部の周壁を貫通する貫通部を備え、前記貫通部を通過した前記流体を、前記内側筒部と前記外側筒部との間の隙間を通過させつつ、前記タンクに案内することを特徴とする請求項１または請求項２に記載の流体吐出装置。
【請求項４】
前記貫通部は、前記吐出口を構成する縁の一部を切り欠いて、前記流体の吐出方向の上流側に延在するスリットであることを特徴とする請求項３に記載の流体吐出装置。
【請求項５】
前記流体が、第１流体及び第２流体を混合して生成された混合流体であり、
前記混合流体を生成するための混合室を有し、
前記混合室は、前記吐出部の内部に位置していることを特徴とする請求項１から請求項４のうち何れか一項に記載の流体吐出装置。
【発明の詳細な説明】
【技術分野】
【０００１】
本発明は、流体吐出装置に関する。
【背景技術】
【０００２】
従来、水石けん液を吐出するソープディスペンサーが知られている（例えば、特許文献１参照。）。
【０００３】
特許文献１に開示された従来のソープディスペンサーは、手洗い器のカウンターに形成された取付け孔に挿入固定される取付管を有し、当該カウンターに固定される。このようなソープディスペンサーは、使用者の手の動きを感知するセンサと、センサからの検知信号が入力されることにより動作する電動ポンプと、を有している。このような従来のソープディスペンサーは、センサが、使用者の手の動きを感知すると、電動ポンプに検知信号が入力されて、電動ポンプを動作させる。これにより、タンク内の水石けん液が吸い上げられて、吐出ノズルの吐出口から水石けん液が吐出されるように構成されている。
【先行技術文献】
【特許文献】
【０００４】
【特許文献１】特開２００６-２７１４０４号公報
【発明の概要】
【発明が解決しようとする課題】
【０００５】
このような従来のソープディスペンサーにあっては、例えば、使用者の手によって、吐出ノズルの吐出口が塞がされた状態で、ポンプ機構が動作した場合には、ポンプ作用にて送り出された水石けん液が飛散する場合がある。
【０００６】
本発明の目的は、吐出口が塞がされた状態で、ポンプ機構が動作することにより送り出された流体が飛散することの抑制を図った流体吐出装置を提供することにある。
【課題を解決するための手段】
【０００７】
本発明の流体吐出装置は、流体を吐出する流体吐出装置であって、前記流体を貯留するタンクと、前記流体を吐出する吐出口を有する吐出部と、前記タンクに貯留された前記流体を前記吐出部に送り出すポンプ機構と、を備え、前記吐出口が塞がれた状態で前記ポンプ機構が動作することにより送り出された前記流体を、前記タンクに案内する逃がし経路を有することを特徴とする。
【０００８】
以上のような本発明によれば、吐出口が塞がされた状態でポンプ機構が動作した際に、ポンプ機構により送出された流体が、逃がし経路を通過してタンクに戻される。即ち、逃がし経路が設けられていることで、吐出口が塞がれることで進路を失った流体が、逃がし経路を通過してタンクに戻されるから、流体が飛散することが抑制される。
【０００９】
また、吐出口が塞がされた状態で、流体が逃がし経路を通過してタンクに戻されるから、想定外の場所から流体が吐出されることがない。
【００１０】
また、本発明の流体吐出装置では、タンクの内外を連通するエア抜き経路を有することが好ましい。このような構成によれば、流体が、逃がし経路を通過してタンクに戻される際に、タンク内のエアーがエア抜き経路を通過して、外部に適宜排出される。従って、タンクに、流体がスムーズに戻される。
【００１１】
また、本発明の流体吐出装置では、吐出部は、吐出口を有する内側筒部と、該内側筒部の外周を覆う外側筒部と、を備え、逃がし経路が、内側筒部の周壁を貫通する貫通部を備え、貫通部を通過した流体を、内側筒部と外側筒部との間の隙間を通過させつつ、タンクに案内することが好ましい。このような構成によれば、吐出口が塞がされた状態で、ポンプ機構が動作した際に、ポンプ機構により送出された流体が、逃がし経路を通過してタンクに戻されるから、吐出口が塞がされた状態で、ポンプ機構が動作した際に、流体が飛散することを抑制することができる流体吐出装置が具現化される。
【００１２】
また、本発明の流体吐出装置では、貫通部は、吐出口を構成する縁の一部を切り欠いて、流体の吐出方向の上流側に延在するスリットであることが好ましい。即ち、スリットは、吐出口に連続して設けられているから、吐出口が塞がれた状態で、ポンプ機構が動作した際に、流体がポンプ機構により送出される流れに逆らうことなくスリットを介してタンクに移送される。従って、吐出口が塞がれた状態で、ポンプ機構が動作した際においても、ポンプ機構に、過剰な負荷がかかることがない。
【００１３】
また、本発明の流体吐出装置では、流体が、第１流体及び第２流体を混合して生成された混合流体であり、混合流体を生成するための混合室を有し、混合室は、吐出部の内部に位置していることが好ましい。ここで、第１流体が液状の石鹸液であり、第２流体がエアーである場合には、混合流体としてムース状の石鹸液が生成される。従って、利便性の向上が図られる。
【発明の効果】
【００１４】
本発明の流体吐出装置によれば、吐出口が塞がされた状態で、ポンプ機構が動作することにより送り出された流体が飛散することの抑制を図ることができる。
【図面の簡単な説明】
【００１５】
【図１】本発明の実施形態に係る流体吐出装置を示す斜視図である。
【図２】前記流体吐出装置において、カバーが開いた状態を示す上面図である。
【図３】（Ａ）は、前記流体吐出装置の一部を示す断面図であり、（Ｂ）は、（Ａ）中のＩ−Ｉ線に沿う断面図である。
【図４】前記流体吐出装置を構成する部材の一部を示す分解斜視図である。
【図５】図３（Ａ）の要部を拡大して示す図である。
【図６】前記流体吐出装置の吐出部を示す図であり、（Ａ）は、一部断面を示す斜視図であり、（Ｂ）は、吐出口側から見た平面図である。
【図７】前記流体吐出装置の吐出部を示す斜視図である。
【図８】（Ａ）は、前記流体吐出装置において、吐出口が塞がれた状態を模式的に示す図であり、（Ｂ）は、（Ａ）の状態において、流体がタンクに案内される様子を説明するための図である。
【発明を実施するための形態】
【００１６】
以下、本発明の一実施形態に係るソープディスペンサー１（流体吐出装置）を、図１〜図８を参照して説明する。
【００１７】
本実施形態のソープディスペンサー１は、図１、図２に示すように、液状の石鹸液Ｓ（第１流体）とエアーＡ（第２流体）とを混合して生成されたムース状の石鹸液（以下「ムース体Ｍ」と記す場合がある）を供給するための装置である。このソープディスペンサー１は、例えば洗面台等の設置台Ｋを上下に貫通する貫通部Ｈに固定されて、使用者が手洗い等をする際に、ムース体Ｍを供給するためのものである。図１は、本実施形態に係るソープディスペンサー１（流体吐出装置）を示す斜視図である。図２は、ソープディスペンサー１において、カバー８３が開いた状態を示す上面図である。
【００１８】
このソープディスペンサー１は、図１、図２に示すように、石鹸液Ｓを貯留するための石鹸タンク２（タンク）と、上下に延在する複数の流体経路を有する流体経路ユニット３と、流体経路ユニット３の下端側に接続されて、石鹸液Ｓ及びエアーＡを上方に送り出すポンプ機構４と、石鹸液Ｓ及びエアーＡを混合してムース体Ｍを生成する混合室５４を有し当該混合室５４で生成されたムース体Ｍを吐出する吐出口５０を有する吐出部５と、流体経路ユニット３により送り出された石鹸液Ｓ及びエアーＡを吐出部５に移送するための第１チューブ６１（図２に示す）及び第２チューブ６２（図２に示す）と、石鹸タンク２の内外を連通して、ムース体Ｍを石鹸タンク２に案内する逆流用チューブ６３（図２に示す）と、ポンプ機構４を動作させるためのセンサ７と、センサ７及び吐出部５を支持するケース体８と、を備える。センサ７は、使用者の手の動きを感知するように構成されている。
【００１９】
ソープディスペンサー１は、複数の流体経路が上下方向（鉛直方向）に延在するように、流体経路ユニット３の途中位置（後述する流体経路部３０の上端部）で設置台Ｋに固定されている。また、吐出部５は、上下方向に直交する水平方向に延在して設けられている。
【００２０】
流体経路ユニット３は、図３、図４に示すように、複数の流体経路として機能する貫通孔３Ａ、３Ｂ、３Ｃ、３Ｄ（図３（Ｂ）に示す）を有する流体経路部３０と、流体経路部３０と各チューブ６１、６２、６３の各下端部を接続するための下方側接続部材３１（図３（Ａ）に示す）と、流体経路部３０と下方側接続部材３１との間に介在された弾性体から成るパッキン３２（図３（Ａ）に示す）と、を備えている。ソープディスペンサー１が、設置台Ｋに固定された状態で、下方側接続部材３１は、設置台Ｋの上面より上方に位置している。なお、本実施形態では、各チューブ６１、６２、６３は、ゴム弾性を有する素材から構成されている。なお、図３（Ａ）において、カバー８３は省略されている。
【００２１】
流体経路部３０は、図１、図３（Ａ）、図４に示すように、上下に延在する４つの貫通孔３Ａ、３Ｂ、３Ｃ、３Ｄ（複数の流体経路）を有する流体経路部本体３０１と、流体経路部本体３０１の下端側に設けられて、石鹸タンク２に接続される石鹸タンク接続部３０２（図１に示す）と、流体経路部本体３０１の上端側に設けられて、下方側接続部材３１及びパッキン３２を支持する受け部３０３と、を一体に有して構成されている。この流体経路部３０は、射出成形により得られた樹脂成型品である。
【００２２】
流体経路部本体３０１は、中実な円柱状部に、４つの貫通孔３Ａ、３Ｂ、３Ｃ、３Ｄが形成されることで構成されている。４つの貫通孔３Ａ、３Ｂ、３Ｃ、３Ｄは、石鹸液Ｓを通過させる第１流体通過経路３Ａと、エアーＡを通過させる第２流体通過経路３Ｂと、石鹸タンク２内のエアーＡ´を排出するためのエアー排出経路３Ｃ（エア抜き経路）と、吐出口５０に形成されたスリットＤ１（後述する）を通過したムース体Ｍを石鹸タンク２に案内するための逆流経路３Ｄと、を有して構成されている。４つの貫通孔３Ａ、３Ｂ、３Ｃ、３Ｄは、それぞれ、その内部と外部とが連通するように構成されている。
【００２３】
石鹸タンク接続部３０２は、図１に示すように、流体経路部本体３０１と隣接する位置に、ポンプ機構４が取り付けられている。そして、ポンプ機構４が動作することで、石鹸タンク２に貯留された石鹸液Ｓを吸い上げる吸上げチューブＴが、石鹸液Ｓを吸い上げ、第２流体通過経路３Ｂを通って、石鹸液Ｓを吐出部５の混合室５４に送り込む。これと同時に、エアーＡを、第１流体通過経路３Ａから混合室５４に送り込むようになっている。
【００２４】
受け部３０３は、図３（Ａ）、図４に示すように、流体経路部本体３０１の中心を中心として、流体経路部本体３０１より大径な下面３０４と、この下面３０４の一部である第１底面３０４Ａから立設して設けられて、下方側接続部材３１及びパッキン３２を収容する受け皿部３０５と、下面３０４の他の一部である第２底面３０４Ｂにセンサ７を設置するためのセンサ設置部３０６と、を有して構成されている。
【００２５】
受け皿部３０５は、第１底面３０４Ａと、第１底面３０４Ａから立設する周板３０７と、を有している。第１底面３０４Ａには、第１流体通過経路３Ａ、第２流体通過経路３Ｂ、エアー排出経路３Ｃ及び逆流経路３Ｄが開口されている。受け皿部３０５は、図３（Ａ）に示すように、下方側接続部材３１及びパッキン３２が収容された状態で、エアー排出経路３Ｃの上方側の開口を露出させるように形成されている。
【００２６】
下端側接続部材３１は、図４に示すように、所定の厚さを有する中実な部材に３つの貫通孔３１Ａ、３１Ｂ、３１Ｄが形成された接続部材本体３１０と、接続部材本体３１０の各貫通孔３１Ａ、３１Ｂ、３１Ｄの周縁から上方に突出する３つの接続部材用係止突起３１１と、を一体に有して構成されている。３つの貫通孔３１Ａ、３１Ｂ、３１Ｄは、第１流体通過経路３Ａに連通される第１流体連通経路３１Ａと、第２流体通過経路３Ｂに連通される第２流体連通経路３１Ｂと、逆流経路３Ｄに連通される逆流連通経路３１Ｄと、を有して構成されている。３つの貫通孔３１Ａ、３１Ｂ、３１Ｄは、それぞれ、その内部と外部とが連通するように構成されている。
【００２７】
３つの接続部材用係止突起３１１は、図３（Ａ）、図４に示すように、第１チューブ６１、第２チューブ６２、及び逆流用チューブ６３の各下端部６１Ａ、６２Ａ、６３Ａを接続部材本体３１０に圧入係止させるためのものである。各接続部材用係止突起３１１は、各基端部分が各先端部分よりも大径になるようなテーパ面（図示しない）を有して構成されている。
【００２８】
各接続部材用係止突起３１１におけるテーパ面は、各チューブ６１、６２、６３が圧入した状態で、各チューブ６１、６２、６３の各内面との間に摩擦力を生じさせるような寸法に形成されている。こうして生じた摩擦力により、各接続部材用係止突起３１１は、各チューブ６１、６２、６３が圧入した状態でそれらの各内面を係止するように構成されている。
【００２９】
このような下端側接続部材３１は、第１チューブ６１の下端部６１Ａが接続部材用係止突起３１１に係止されることで、第１チューブ６１、第１流体通過経路３Ａ及び第１流体連通経路３１Ａを互いに連通させ、第２チューブ６２の下端部６２Ａが接続部材用係止突起３１１に係止されることで、第２チューブ６２、第２流体通過経路３Ｂ及び第２流体連通経路３１Ｂを互いに連通させ、逆流用チューブ６３の下端部６３Ａが接続部材用係止突起３１１に係止されることで、逆流用チューブ６３、逆流経路３Ｄ及び逆流連通経路３１Ｄを互いに連通されるようになっている。
【００３０】
パッキン３２には、図４に示すように、下端側接続部材３１に形成された３つの各貫通孔３１Ａ、３１Ｂ、３１Ｄと上下に連通する位置に３つのパッキン用貫通孔３２Ａ、３２Ｂ、３２Ｄが形成されている。
【００３１】
このような下端側接続部材３１及びパッキン３２が、流体経路部３０の受け皿部３０５に収容された状態では、図４に示すように、下から、流体経路部本体３０１、パッキン３２、下端側接続部材３１の順で並んで設けられている。また、この状態で、流体経路部本体３０１の第１流体通過経路３Ａと下端側接続部材３１の第１流体連通経路３１Ａとパッキン用貫通孔３２Ａが上下に連通するように互いに接続され、流体経路部本体３０１の第２流体通過経路３Ｂと下端側接続部材３１の第２流体連通経路３１Ｂとパッキン用貫通孔３２Ｂが上下に連通するように互いに接続され、流体経路部本体３０１の逆流経路３Ｄと下端側接続部材３１の逆流連通経路３１Ｄとパッキン用貫通孔３２Ｄが上下に連通するように互いに接続されている。
【００３２】
吐出部５は、図５〜図７に示すように、吐出口５０を有する環状部５１と、石鹸液ＳとエアーＡとを混合してムース体Ｍを生成するための混合室５４を有する混合室体５２と、環状部５１と混合室体５２との間に支持されるメッシュ部５３と、混合室体５２と各チューブ６１、６２、６３の各上端部６１Ｂ、６２Ｂ、６３Ｂ（各上端部６２Ｂ、６３Ｂについては、不図示）を接続するための上端側接続部材５５と、を有して構成されている。吐出部５は、上端側接続部材５５、混合室体５２、環状部５１の順で、ムース体Ｍの吐出方向に組み付けられている。なお、以下では、ムース体Ｍの吐出（進行）方向の下流側を「前方」と記し、上流側を「後方」と記す場合がある。ムース体Ｍの吐出方向は、吐出部５の軸方向と同じ方向である。
【００３３】
環状部５１は、メッシュ部５３を通過したムース体Ｍの噴出口５１０ａを有する内側筒部５１０と、内側筒部５１０の外周を覆う外側筒部５１１と、を有して構成されている。
【００３４】
なお、本実施形態では、吐出口５０とは、ムース体Ｍを吐出させるために、外部に露出した開口のことである。噴出口５１０ａは、図５等に示すように、吐出口５０よりも後方に位置している。即ち、噴出口５１０ａは、外部に露出していない。
【００３５】
内側筒部５１０は、図６（Ａ）に示すように、メッシュ部５３を収容するメッシュ収容部５１２と、メッシュ収容部５１２の前方側に連通する位置に設けられて、ムース体Ｍの噴出口５１０ａを構成する第１周壁５１３と、第１周壁５１３の外周を覆うとともに前端に吐出口５０を有する第２周壁５１４と、第１周壁５１３と第２周壁５１４とを連結する連結部５１５と、を一体に有して構成されている。第１周壁５１３と第２周壁５１４は同軸に設けられている。また、第１周壁５１３及び第２周壁５１４は、外側筒部５１１と同軸に設けられている。また、第１周壁５１３の前端部５１３ａは、第２周壁５１４の前端部５１４ａよりも後方側に位置し、第１周壁５１３の後端部５１３ｂは、第２周壁５１４の後端部５１４ｂよりも前方側に位置している。また、第１周壁５１３の後端部５１３ｂは、第２周壁５１４の内面に連続されている。
【００３６】
第１周壁５１３は、後端から前方に向かうにしたがって吐出部５の中心に徐々に近づくように傾斜する第１内面５１３Ａと、第１内面５１３Ａから、径方向の寸法が略等しくなるように前方に延在形成された第２内面５１３Ｂと、を有して構成されている。
【００３７】
第２周壁５１４は、図６（Ａ）（Ｂ）、図７に示すように、吐出口５０を構成する縁の一部を切り欠いて、後方に延在するスリットＤ１を有している。スリットＤ１（貫通部）の後端部Ｄ１ｂと第１周壁５１３の前端部５１３ａとは、吐出方向（吐出部５の軸方向）の位置が略同じ位置（両者の関係が面一になる位置）になるように形成されている。スリットＤ１は、後述する逃がし経路Ｄ（図６（Ａ）に示す）の一部を構成する「ムース体第１経路Ｄ１」として機能する。
【００３８】
外側筒部５１１は、前端部５１１ａが、第２周壁５１４の前端部５１４ａと、吐出方向（環状部５１の軸方向）の位置が略同じ位置になるように形成され、後端部５１１ｂが、第２周壁５１４の後端部５１４ｂと、吐出方向（吐出部５の軸方向）の位置が略同じ位置（両者の関係が面一になる位置）になるように形成されている。
【００３９】
また、図６（Ａ）に示すように、外側筒部５１１と内側筒部５１０の第２周壁５１４との間における後方側の空間Ｓには、後方から、混合室体５２の（後述する）前側張出し部５２２が挿入されている。さらに、外側筒部５１１と内側筒部５１０の第２周壁５１４との間、前側張出し部５２２が挿入された状態で、前側張出し部５２２と第２周壁５１４との間には隙間Ｄ２１が形成されている。この隙間Ｄ２１は、外側筒部５１１と内側筒部５１０の第２周壁５１４との間における前方側の空間Ｄ２２に連続されている。隙間Ｄ２１及び空間Ｄ２２は、後述する逃がし経路Ｄの一部を構成する「ムース体第２経路Ｄ２」として機能する。
【００４０】
混合室体５２は、図６（Ａ）に示すように、基板５２０と、基板５２０から後方に突出して設けられて内部に混合室５４を有する混合室本体５２１と、基板５２０から前方に筒状に立設して設けられて、外側筒部５１１と内側筒部５１０の第２周壁５１４との間に挿入される前側張出し部５２２と、を有して構成されている。
【００４１】
混合室本体５２１は、基板５２０から後方に突出して設けられているとともに吐出部５の中心を中心とする円柱状の大径部５２３と、大径部５２３から後方に突出して設けられて大径部５２３より小径な円柱状の小径部５２４と、を有して構成されている。大径部５２３と小径部５２４は同軸に設けられている。混合室５４は、小径部５２４から大径部５２３を介して基板５２０まで連続する空間から構成され、混合室５４の前後の各端は、内部と外部が連通するように開口されている。混合室５４は、石鹸液ＳとエアーＡとを混合してムース体Ｍを生成するための空間である。
【００４２】
また、混合室体５２には、ムース体Ｍを通過させるとともに、後述する逃がし経路Ｄの一部を構成するムース体第３経路Ｄ３が設けられている。ムース体第３経路Ｄ３は、基板５２０及び混合室本体５２１を貫通するように形成されているとともに、外側筒部５１１と内側筒部５１０の第２周壁５１４との間の隙間を含むムース体第２経路Ｄ２に連通するように形成されている。
【００４３】
このような混合室体５２は、前側張出し部５２２が、環状部５１の外側筒部５１１と内側筒部５１０の第２周壁５１４との間に挿入した状態で、基板５２０におけるムース体第３経路Ｄ３の内側（吐出部５の中心軸側）の部分が、環状部５１のメッシュ収容部５１２の後方側の開口を覆うように構成されている。
【００４４】
上端側接続部材５５は、図６（Ａ）、図７に示すように、３つの吐出側係止突起５５１を有する板状部５５２と、板状部５５２の周縁から筒状に立設された第１立設部５５３と、第１立設部５５３の内側に設けられた第２立設部５５４と、を一体に有して構成されている。３つの吐出側係止突起５５１は、筒状に設けられ、第１チューブ６１、第２チューブ６２及び逆流用チューブ６３の各上端部６１Ｂ、６２Ｂ、６３Ｂを圧入係止するためのものである。３つの吐出側係止突起５５１のうち、第１チューブ６１及び第２チューブ６２を係止する２つは、第２立設部５５４の内側に設けられ、逆流用チューブ６３は、第１立設部５５３と第２立設部５５４との間に設けられている。
【００４５】
各吐出側係止突起５５１は、基端部分が先端部分よりも大径になるようなテーパ面５５１Ａを有して構成されている。各吐出側係止突起５５１におけるテーパ面５５１Ａは、各チューブ６１、６２、６３が圧入した状態で、各チューブ６１、６２、６３の各内面との間に摩擦力を生じさせるような寸法に形成されている。こうして生じた摩擦力により、各吐出側係止突起５５１は、各チューブ６１、６２、６３が圧入した状態でそれらの各内面を係止するように構成されている。
【００４６】
第１立設部５５３は、混合室体５２の大径部５２３を外嵌しつつ、前端部５５３ａが、混合室体５２の基板５２０に当接するように構成されている。
【００４７】
第２立設部５５４は、混合室体５２の小径部５２４を外嵌しつつ、前端部５５４ａが、混合室体５２の大径部５２３の後方側の面に当接するように構成されている。
【００４８】
このような吐出部５は、吐出側係止突起５５１により第１チューブ６１及び第２チューブ６２の各上端部６１Ｂ、６２Ｂが接続されて、第１チューブ６１により石鹸液Ｓが、第２チューブ６２によりエアーＡが、それぞれ混合室５４に移送されるようになっている。また、吐出側係止突起５５１により逆流用チューブ６３の上端部６３Ｂが接続されて、逆流用チューブ６３によりムース体Ｍが、逃がし経路Ｄから、流体経路部本体３０１の逆流経路３Ｄと下端側接続部材３１の逆流連通経路３１Ｄとパッキン用貫通孔３２Ｄを介して石鹸タンク２に移送されるようになっている。
【００４９】
また、吐出部５にあっては、吐出口５０が塞がされた状態でポンプ機構４が動作した際に、ムース体Ｍは、ムース体第１経路Ｄ１を通過し、ムース体第２経路Ｄ２、ムース体第２経路Ｄ３、に到達し、第１立設部５５３と第２立設部５５４との間に位置するムース体第４経路Ｄ４を回り込み、逆流チューブ６３を介して逆流経路３Ｄに到達する。
【００５０】
第１チューブ６１は、下端部６１Ａが、下端側接続部材３１の接続部材用係止突起３１１に係止されて、下端側接続部材３１の第１流体連通経路３１Ａに接続され、上端部６１Ｂが、吐出部５の吐出側係止突起５５１に係止されて、吐出部５の混合室５４に接続されている。第２チューブ６２は、下端部６２Ａが、下端側接続部材３１の接続部材用係止突起３１１に係止されて、下端側接続部材３１の第２流体連通経路３１Ｂに接続され、上端部６２Ｂが、吐出部５の吐出側係止突起５５１に係止されて、吐出部５の混合室５４に接続されている。逆流用チューブ６３は、下端部６３Ａが、下端側接続部材３１の接続部材用係止突起３１１に係止されて、下端側接続部材３１の逆流連通経路３１Ｄに接続され、上端部６３Ｂが、吐出部５の吐出側係止突起５５１に係止されて、吐出部５の逃がし経路Ｄに接続されている。
【００５１】
ケース体８は、図１、図３（Ａ）に示すように、受け部３０３の周板３０７に外嵌される筒状の周壁８１と、周壁８１の上端の一部を切り欠いて樋状に延出される樋状部８２と、を有するベース８０と、ベース８０の開口を覆うカバー８３と、を有して構成されている。周壁８１の下端と周板３０７の下端とは、上下の位置が略同じ位置になっている。
【００５２】
樋状部８２は、上方が開口するように設けられ、その先端部に、吐出部５を取り付けるための取付孔８ａが形成されている。取付孔８ａは、下方に開口するように形成された貫通孔から構成されている。
【００５３】
このようなソープディスペンサー１は、図１に示すように、センサ７が使用者の手の動きを感知すると、ポンプ機構４が所定時間だけ駆動される。すると、石鹸タンク２に貯留された石鹸液Ｓが吸上げチューブＴにより吸い上げられ、パッキン用貫通孔３２Ａ、第１流体連通経路３１Ａ、第１流体通過経路３Ａ、第１チューブ６１を通って混合室５４に送り込まれる。これと同時に、エアーＡが、パッキン用貫通孔３２Ｂ、第２流体連通経路３１Ｂ、第２流体通過経路３Ｂ、第２チューブ６２を通って、混合室５４に送り込まれる。こうして混合室５４に送り込まれた石鹸液Ｓ及びエアーＡは、混合されて混合流体であるムース体Ｍが生成される。このムース体Ｍは、混合室５４から移送されて、吐出口５０から吐出される。
【００５４】
ここで、例えば、図８（Ａ）に示すように、例えば、使用者の手によって、吐出口５０が塞がされた状態で、ポンプ機構４が動作した際に、図８（Ｂ）に示すように、ムース体Ｍは、ムース体第１経路Ｄ１を通過し、ムース体第２経路Ｄ２、ムース体第３経路Ｄ３、ムース体第４経路Ｄ４を順次通過し、逆流チューブ６３を介して、下端側接続部材３１の逆流連通経路３１Ｄ、パッキン用貫通孔３２Ｄ、逆流経路３Ｄを通過して、石鹸タンク２に移送される。即ち、本実施形態における逃がし経路Ｄとは、ムース体第１経路Ｄ１、ムース体第２経路Ｄ２、ムース体第３経路Ｄ３、ムース体第４経路Ｄ４、逆流チューブ６３、下端側接続部材３１の逆流連通経路３１Ｄ、パッキン用貫通孔３２Ｄ、及び逆流経路３Ｄを有して構成されている。
【００５５】
このような本実施形態によれば、以下のような効果がある。即ち、吐出口５０が塞がされた状態でポンプ機構４が動作した際に、ポンプ機構４により送出されたムース体Ｍが、逃がし経路Ｄを通過して石鹸タンク２（タンク）に戻される。即ち、逃がし経路Ｄが設けられていることで、吐出口５０が塞がれることで進路を失ったムース体Ｍが、逃がし経路Ｄを通過して石鹸タンク２に戻されるから、ムース体Ｍが飛散することが抑制される。
【００５６】
また、吐出口が塞がされた状態でムース体Ｍ（流体）が逃がし経路Ｄを通過して石鹸タンク２（タンク）に戻されるから、想定外の場所からムース体が吐出されることがない。
【００５７】
また、石鹸タンク２（タンク）の内外を連通するエアー排出経路３Ｃ（エア抜き経路）を有する。このような構成によれば、ムース体Ｍが、逃がし経路Ｄを通過して石鹸タンク２に戻される際に、石鹸タンク２内のエアーＡ´がエアー排出経路３Ｃを通過して、外部に適宜排出される。従って、石鹸タンク２に、ムース体Ｍがスムーズに戻される。
【００５８】
また、吐出部５は、吐出口５０を有する内側筒部５１０と、該内側筒部５１０の外周を覆う外側筒部５１１と、を備え、逃がし経路Ｄが、内側筒部５１０の第２周壁５１４（周壁）を貫通するスリットＤ１（貫通部）を備え、スリットＤ１を通過したムース体Ｍを、内側筒部５１０と外側筒部５１１との間の隙間を通過させつつ、石鹸タンク２（タンク）に案内する。このような構成によれば、吐出口５０が塞がされた状態で、ポンプ機構４が動作した際に、ポンプ機構４により送出されたムース体Ｍが、逃がし経路Ｄを通過して石鹸タンク２に戻されるから、吐出口５０が塞がされた状態で、ポンプ機構４が動作した際に、ムース体Ｍが飛散することを抑制することができるソープディスペンサー１（流体吐出装置）を具現化できる。
【００５９】
また、スリットＤ１（貫通部）は、吐出口５０を構成する縁の一部を切り欠いて、ムース体Ｍの吐出方向の上流側に延在する。即ち、スリットＤ１は、吐出口５０に連続して設けられているから、吐出口５０が塞がれた状態で、ポンプ機構４が動作した際に、ムース体Ｍがポンプ機構４により送出される流れに逆らうことなくスリットＤ１を介して石鹸タンク２（タンク）に移送される。従って、吐出口５０が塞がれた状態で、ポンプ機構４が動作した際においても、ポンプ機構４に、過剰な負荷がかかることがない。
【００６０】
また、流体が、液状の石鹸液Ｓ（第１流体）とエアーＡ（第２流体）とを有し、これら石鹸液Ｓ及びエアーＡを混合して混合流体を生成するための混合室５４を有し、この混合室５４は、吐出部５の内部に位置している。ここで、第１流体が液状の石鹸液Ｓであり、第２流体がエアーＡである場合には、混合流体としてムース状の石鹸液が生成される。従って、利便性の向上が図られる。
【００６１】
なお、本発明は、前記実施形態に限定されるものではなく、本発明の目的が達成できる他の構成等を含み、以下に示すような変形例も本発明に含まれる。
【００６２】
上記実施形態では、吐出部５は、吐出口５０を構成する縁の一部を切り欠いて、後方（吐出方向の上流側）に延在するスリットＤ１（貫通部）を有している。しかしながら、本発明はこれに限定されるものではない。吐出部５は、スリットＤ１の代わりに、第２周壁５１４を貫通する孔を有していてもよい。
【００６３】
また、前記実施形態では、流体経路ユニット３が、４つの貫通孔３Ａ、３Ｂ、３Ｃ、３Ｄを有し、貫通孔３Ｃは、石鹸タンク２内のエアーＡ´を排出するためのエアー排出経路として機能していたが、本発明はこれに限定されるものではない。貫通孔３Ｃを、石鹸液Ｓを石鹸タンク２に補給するための補給経路として機能させてもよい。この場合には、石鹸液Ｓは、補給経路を通って、石鹸タンク２に補給される。石鹸液Ｓが石鹸タンク２に補給される際には、ポンプ機構４は動作していないため、石鹸タンク２内のエアーＡ´が逆流経路３Ｄにより適宜排出されるように構成されていてもよい。即ち、貫通孔３Ｄを、石鹸液Ｓが石鹸タンク２に補給される際（ポンプ機構４が動作していないとき）には、エアー排出経路として機能させ、ポンプ機構４が動作しているときには、逆流経路として機能させるように構成されていてもよい。換言すると、１つの貫通孔３Ｄを、補給経路及びエアー排出経路として兼用して用いてもよい。
【００６４】
また、前記実施形態では、流体経路ユニット３が、４つの貫通孔３Ａ、３Ｂ、３Ｃ、３Ｄを有し、これら貫通孔が、それぞれ、石鹸液Ｓを通過させる第１流体通過経路３Ａと、エアーＡを通過させる第２流体通過経路３Ｂと、石鹸タンク２内のエアーＡ´を排出するためのエアー排出経路３Ｃと、吐出口５０に形成されたスリットＤ１を通過したムース体Ｍを石鹸タンク２に案内する逆流経路３Ｄとして機能していたが、本発明はこれに限定されるものではない。流体経路ユニットが、さらに補給経路を有して構成されていてもよい。即ち、流体経路ユニットは、合計５つの貫通孔を有して構成されていてもよい。
【００６５】
この場合において、石鹸タンク２に、石鹸液Ｓを補給する際には、カバー８３を開けて、受け皿部３０５に石鹸液Ｓを注いでもよい。補給経路（図示しない）の上方側の開口は、露出しているから、受け皿部３０５に石鹸液Ｓが注がれることで、石鹸液Ｓは、補給経路を通って、石鹸タンク２に補給される。これに伴って、石鹸タンク２内のエアーＡ´がエアー排出経路３Ｃにより適宜排出されるように構成されていてもよい。
【００６６】
また、上記実施形態では、ソープディスペンサー１はムース体Ｍ（混合流体）を供給する構成としたが、これに限定されるものではない。ソープディスペンサーにより供給されるものはムース体Ｍでなくてもよい。例えば、供給されるものは、液状の石鹸液Ｓそのものであってもよく、液状の石鹸液Ｓとは別の例えば、消毒用のアルコール類であってもよい。このように、供給されるものが混合流体でない場合は、混合室５４を省略してもよい。
【００６７】
また、上記実施形態においては、第１流体を石鹸液Ｓ、第２流体をエアーＡとする構成としたが、これに限定されることはなく、例えば、第１流体として水や飲料等の液体を用い、第２流体として酸素や窒素などの気体を用いてもよい。
【００６８】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６９】
１              ソープディスペンサー（流体吐出装置）
２              石鹸タンク（タンク）
４              ポンプ機構
５              吐出部
５０            吐出口
５４            混合室
３Ｃ            エアー排出経路（エア抜き経路）
５１０          内側筒部
５１１          外側筒部
５１４          第２周壁（周壁）
Ａ              空気（第２流体）
Ｄ              逃がし経路
Ｄ１            スリット、ムース体第１経路（貫通部）
Ｄ２            ムース体第２経路（外側筒部と内側筒部との間の隙間）
Ｍ              ムース体（混合流体）
Ｓ              石鹸液（第１流体）
【図１】
2018102697.tif 000003
【図２】
2018102697.tif 000004
【図３】
2018102697.tif 000005
【図４】
2018102697.tif 000006
【図５】
2018102697.tif 000007
【図６】
2018102697.tif 000008
【図７】
2018102697.tif 000009
【図８】
2018102697.tif 000010